(57)【特許請求の範囲】
【請求項１】
それぞれ胴部、肩部および口部を備えた外チューブ内に内チューブを略同心状に内装して成る二室チューブにおいて、
前記外チューブの口部と内チューブの口部とがアダプタで連結され、
そのアダプタが、前記外チューブの口部内に嵌合する円筒部と、その円筒部の下端で、外チューブの肩部より下方に配置され、内チューブの口部外周の雄ネジと螺合する雌ネジを有するキャップ状の螺合部とを有し、
かつアダプタの円筒部内部は軸線方向に円筒部上端まで延びる仕切壁によって第１の通路と第２の通路とに仕切られ、円筒部の第１の通路側には、外チューブ内に連通する横孔が穿設され、第２の通路の下端がキャップ状の螺合部内に連通していることを特徴とする二室チューブ。
【請求項２】
前記アダプタは、前記円筒部の外周に、外チューブの口部内面に形成された環状の凹所に嵌合する突起部を有することを特徴とする請求項１記載の二室チューブ。
【請求項３】
前記アダプタが、前記円筒部の外周に、外チューブの口部内周に形成される雌ネジと螺合する雄ネジを有することを特徴とする請求項１記載の二室チューブ。
【請求項４】
前記アダプタの円筒部の上端が外チューブの口部上端より突出していることを特徴とする請求項１記載の二室チューブ。
【請求項５】
前記アダプタは、円筒部の外周に複数の縦リブを備えており、かつ、円筒部の上端に外チューブの口部円面部と係合する係合突起を備えていることを特徴とする請求項１記載の二室チューブ。
【請求項６】
前記外チューブの下端と内チューブの下端とが一緒に密封されている請求項１記載の二室チューブ。
【請求項７】
前記キャップ状の螺合部に、内チューブの口部内面と当接する環状の突起が形成されている請求項１記載の二室チューブ。
【発明の詳細な説明】
【０００１】
【発明の属する技術分野】
この発明は二室チューブに関し、さらに詳しくは従来のチューブ容器の口部の仕様を変えることなく、従来使用されている金型で成形されるチューブ容器を、そのまま利用できる二室チューブに関する。
【０００２】
【従来の技術】
従来、２種類の化粧品等の内容物を、チューブ容器内部で混合することなく別々に保存し、使用する際に混合して使用する二室チューブが用いられている。このような二室チューブとしては、図７に示すような二室チューブがある。図７中、５０は外チューブであり、この外チューブ５０内には内チューブ５１が内装されている。この内チューブ５１はチューブ容器本体５１ａと分流口部５３とから構成されている。そして、この分流口部５３は、このチューブ容器本体５１ａ内に収納された２種類の内容物５７、５８を、別々に混合することなく注出するための第１の通路５３ａおよび第２通路５３ｂとに、仕切り壁５９によって仕切られている。そして、第１の通路５３ａには、分流口部５３内で、外チューブ５０と連通する横孔５６が穿設されている。さらに、この分流口部５３の外周には、突起部５５が形成され、この突起部５５と、外チューブ５０の口部５２の内周面に形成された凹所５４とが弾発的に係合され、内チューブ５１は外チューブ５０の口部５２に確実に固定されている。
【０００３】
【発明が解決しようとする課題】
しかしながら、このような発明にあっては、内チューブ５１の分流口部５３の形状が、外チューブ５０の口部５２に嵌合できるように、従来の口部の形状とは異なった形状に成形される必要がある。したがって、内チューブ５１を成形するための特別仕様の成形金型を製作する必要があり、別途特別仕様の金型を製作することは二室チューブの製造コストが高くなる欠点があった。
【０００４】
この発明は、従来のこのような欠点を解消したもので、特別仕様の内チューブ専用の金型を必要とせず、従来のチューブ成形金型を利用し、既存の製品を連結することにより、低コストな二室チューブを提供することを目的とする。
【０００５】
【課題を解決するための手段】
この課題を解決するため、この発明は、それぞれ胴部、肩部および口部を備えた外チューブ内に内チューブを略同心状に内装して成る二室チューブにおいて、前記外チューブの口部と内チューブの口部とがアダプタで連結され、そのアダプタが、前記外チューブの口部内に嵌合する円筒部と、その円筒部の下端で、外チューブの肩部より下方に配置され、内チューブの口部外周の雄ネジと螺合する雌ネジを有するキャップ状の螺合部とを有し、かつアダプタの円筒部内部は軸線方向に円筒部上端まで延びる仕切壁によって第１の通路と第２の通路とに仕切られ、円筒部の第１の通路側には、外チューブ内に連通する横孔が穿設され、第２の通路の下端がキャップ状の螺合部内に連通していることを特徴とする二室チューブである。
前記アダプタは、前記円筒部の外周に、外チューブの口部内面に形成された環状の凹所に嵌合する突起部を有するものが好ましい。また、前記アダプタが、前記円筒部の外周に、外チューブの口部内周に形成される雌ネジと螺合する雄ネジを有する二室チューブが好ましい。さらに前記アダプタの円筒部の上端が外チューブの口部上端より突出している二室チューブが好ましい。さらに前記アダプタは、円筒部の外周に複数の縦リブを備えており、かつ、円筒部の上端に外チューブの口部円面部と係合する係合突起を備えているものが好ましい。また、前記外チューブの下端と内チューブの下端とが一緒に密封されているものが好ましい。さらに前記キャップ状の螺合部に、内チューブの口部内面と当接する環状の突起が形成されているものが一層好ましい。
【０００６】
【発明の実施の形態】
次に、この発明の実施の形態を図面に基づいて説明する。図１〜図４は、この発明に係る第１の形態を示す図面である。１は外チューブであり、単層または多層の合成樹脂材料で造られている。この発明の特徴は、外チューブ１と内チューブ２とが、従来から使用されている既存の製品であるチューブ容器であり、既存の外チューブ１内に、この外チューブ１の胴径より一回り小さな既存の内チューブ２が内装されている点にある。
【０００７】
アダプタ３は、円筒部４と、この円筒部４の下部に形成された螺合部９とから構成され、この円筒部４の上端外周に係合突起８が形成されている。この係合突起８が、外チューブ１の口部１ａの天面部に係合することにより、アダプタ３と外チューブ１とは確実に嵌合している。また、円筒部４の外周には複数の縦リブ１０が形成され、その内部は中央部の仕切壁７によって、第１の通路５と第２の通路６とに仕切られている。そして、第１の通路５側の円筒部４の壁面を一部切り欠くように、横孔１１が穿設され、外チューブ１内に収納された内容物は、この横孔１１を通り第１の通路５を経て外部へ抽出される。
【０００８】
一方、螺合部９の内側に形成された雌ネジ９ａには、内チューブ２の雄ネジ２ａが螺合されることにより、内チューブ２はアダプタ３に連結されている。そして、内チューブ２内に収納された内容物１３は、この第２の通路６を通り外部へ抽出される。このように、本発明はアダプタ３によって、既存の外チューブ１と内チューブ２とが確実に連結されるので、組み付け作業が頗る容易である。
【０００９】
図５は、この発明の第２の形態を示す図面である。第１の形態と構成が異なる点は、係合突起８が円筒部４の先端ではなく、円筒部４の上端よりやや下側に形成され、かつこの係合突起８が、外チューブ１の口部１ａ内周面に形成された凹所１ｂに嵌合されている点である。この第２の形態においては、円筒部４の外周に縦リブ１０が形成されず、その他の構成は第１の形態と同様である。図６は、この発明の第３の形態であり、この特徴は、アダプタ３の円筒部４の上部外周に螺合部４ａが形成され、この螺合部４ａが外チューブ１の口部１ａの内周面に形成された雌ネジ１ｃに螺合している。その他の構成は、第１の形態と同様である。その他の形態として、歯磨きチューブのキャップと口部との嵌合形態に見られる様に、嵌合部９内周に複数の鉤状のフックが垂下され、この鉤状のフックに内チューブ１の口部１ａが弾発的に係合された形態であってもよい（図示せず）。
【００１０】
次に、この発明の作用について説明する。この発明は、従来から使用されている通常の外チューブ１と内チューブ２とを、アダプタ３で連結し、アダプタ３内の通路を仕切って分割したから、外チューブ１内に収納された内容物１２は、横孔１１を通過して、第１の通路５から外部へ、また内チューブ２内に収納された内容物１３は、第２の通路６から外部へ抽出される。
【００１１】
【発明の効果】
以上説明してきたように、この発明によれば外チューブおよび内チューブが特別の仕様を必要としないため、内チューブの製造に必要な特別の金型を必要とせず、既存のチューブ金型をそのまま利用して製造することができるので、製造コストの安価な二室チューブを提供できる。また、二つのチューブをアダプタで連結して組み付けることができるので、組み付け作業が頗る容易である。
【図面の簡単な説明】
【図１】この発明に係る二室チューブの第１の形態を示す縦断面図。
【図２】この発明に係る二室チューブにおいて、外チューブと内チューブとの連結部を示した第１の形態の拡大断面図。
【図３】この発明に係る二室チューブにおいて、外チューブと内チューブとを連結するアダプタを示した拡大断面図。
【図４】この発明に係る二室チューブにおいて、図３に示すアダプタのＡ−Ａ線端面図。
【図５】この発明に係る二室チューブにおいて、外チューブと内チューブとの連結部を示した第２の形態を示す縦断面図。
【図６】この発明に係る二室チューブにおいて、外チューブと内チューブとの連結部を示した第３の形態を示す縦断面図。
【図７】従来の二室チューブを示した縦断面図。
【符号の説明】
１  外チューブ
１ａ  口部
２  内チューブ
２ａ  口部
３  アダプタ
４  円筒部
４ａ  ９  螺合部
５  第１の通路
６  第２の通路
８  突起部
１１  横孔
【図１】
0003899441.tif 000002
【図２】
0003899441.tif 000003
【図３】
0003899441.tif 000004
【図４】
0003899441.tif 000005
【図５】
0003899441.tif 000006
【図６】
0003899441.tif 000007
【図７】
0003899441.tif 000008